(57)【要約】【課題】より多くの長靴を収納することができる長靴の収納庫を提供する。【解決手段】収納庫Ｓ１内には、複数の靴用ハンガー３が上下方向に間隔を存して設けてあり、各靴用ハンガー３は下方に向かって傾斜状に延出する傾斜部３１と、傾斜部３１の先端側に形成された係止部３２と、を備えている。長靴４は、踵部４１を下方にして胴部４０と甲部４２とが略Ｖ字を形成するような姿勢で、傾斜部３１が胴部４０内部に沿って延出し、係止部３２が甲部４２内部に係止した状態で靴用ハンガー３に掛止され、略Ｖ字姿勢にある長靴４の胴部４０及び甲部４２の上側に形成される空間に、上側の靴用ハンガー３に掛止される長靴４の踵部４１が位置する。【選択図】図３
2010115300.tif 000002
【特許請求の範囲】
【請求項１】
長靴の収納庫において、
前記長靴は、上端に履き口が形成された胴部と、胴部の下端の後側に形成された踵部と、胴部の下端の前側に突成された甲部と、を備え、
前記収納庫内には、複数の靴用ハンガーが上下方向に間隔を存して設けてあり、
前記靴用ハンガーは下方に向かって傾斜状に延出する傾斜部と、
前記傾斜部の先端側に形成された係止部と、を備え、
前記長靴は、踵部を下方にして胴部と甲部とが略Ｖ字を形成するような姿勢で、前記傾斜部が胴部内部に沿って延出し、前記係止部が前記甲部内部に係止した状態で靴用ハンガーに掛止され、
前記略Ｖ字姿勢にある長靴の前記胴部及び前記甲部の上側に形成される空間に、上側の靴用ハンガーに掛止される長靴の踵部が位置するように構成されている、
長靴の収納庫。
【請求項２】
前記係止部は、甲部内部の基端側の上面に係止する第１係止部と、甲部内部の基端側の底面に係止する第２係止部と、を備えている、
請求項１に記載の長靴の収納庫。
【請求項３】
前記係止部は、前記傾斜部の先端から上方に傾斜状に延出する第１部と、第１部の先端から下方に向かって延出する第２部と、を備え、
前記第１部材の先端側あるいは／および前記第１部と前記第２部とからなる角部が前記第１係止部を構成し、
前記第２部の先端が前記第２係止部を構成する、
請求項２に記載の長靴の収納庫。
【発明の詳細な説明】
【技術分野】
【０００１】
本発明は、長靴の収納庫に関するものである。
【背景技術】
【０００２】
従来の長靴の収納形態としては、複数の長靴を水平な棚に真っ直ぐ置くもの（図９（Ａ））、水平方向に突き出した丸棒に長靴の履き口を差し込むもの（図９（Ｂ））、斜め上方向に突き出した丸棒に長靴を逆さまにして長靴の履き口を差し込むもの（図１０（Ａ））などがあるが、いずれも無駄なスペースの多い収納庫となっていた。また、図１０（Ａ）の変形として、図１０（Ｂ）に示すように、長靴の踵部を上にして差し込むことも考えられるが、この場合には、長靴の掛止状態が安定しないことに加えて、差込時に上方あるいは下方の長靴が邪魔になってしまい、出し入れに支障を来たすことになる。
【０００３】
省スペース化を図った靴収納庫としては、多段の複数の棚板の各棚板を水平状態と係止状態とで位置替え可能としたもの（特許文献１）、段違いの棚板を設けて、段違い状につま先部分を向かい合わせて収納するもの（特許文献２）がある。しかしながら、複数の長靴を収納する場合には、特許文献１の構造では省スペース化を図ることができない。また、特許文献２のものは、靴の出し入れがやりにくく、また、収納庫を両面開閉にするために壁付けに設置することが出来ない。
【０００４】
また、靴用ハンガーとしては、特許文献３乃至６に開示されているような提案がなされている。しかしながら、いずれも、「より多くの長靴を収納する」という視点はない。
【特許文献１】特開２００２−２０９６４６
【特許文献２】実開平６−２１４３３
【特許文献３】実開平５−１４５２
【特許文献４】特開平７−３２３１９８
【特許文献５】特開２００４−２０２０７６
【特許文献６】特開２００５−５８４８１
【発明の開示】
【発明が解決しようとする課題】
【０００５】
本発明は、より多くの長靴を収納することができる長靴の収納庫を提供することを目的とするものである。
【課題を解決するための手段】
【０００６】
本発明が採用した技術手段は、
長靴の収納庫において、
前記長靴は、上端に履き口が形成された胴部と、胴部の下端の後側に形成された踵部と、胴部の下端の前側に突成された甲部と、を備え、
前記収納庫内には、複数の靴用ハンガーが上下方向に間隔を存して設けてあり、
前記靴用ハンガーは下方に向かって傾斜状に延出する傾斜部と、
前記傾斜部の先端側に形成された係止部と、を備え、
前記長靴は、踵部を下方にして胴部と甲部とが略Ｖ字を形成するような姿勢で、前記傾斜部が胴部内部に沿って延出し、前記係止部が前記甲部内部に係止した状態で靴用ハンガーに掛止され、
前記略Ｖ字姿勢にある長靴の前記胴部及び前記甲部の上側に形成される空間に、上側の靴用ハンガーに掛止される長靴の踵部が位置するように構成されている、
長靴の収納庫、である。
【０００７】
１つの態様では、前記係止部は、甲部内部の基端側の上面に係止する第１係止部と、甲部内部の基端側の底面に係止する第２係止部と、を備えている。
より具体的な態様例では、
前記係止部は、前記傾斜部の先端から上方に傾斜状に延出する第１部と、第１部の先端から下方に向かって延出する第２部と、を備え、
前記第１部材の先端側あるいは／および前記第１部と前記第２部とからなる角部が前記第１係止部を構成し、
前記第２部の先端が前記第２係止部を構成する。
【発明の効果】
【０００８】
本発明では、長靴の踵部を下にＶ字になるような向きで、上下方向に重ねるように複数の長靴を配置することにより、胴部と甲部との上側に形成される空間を有効利用することで、長靴の出し入れを許容しつつ収納時の上下の長靴間の間隔を小さくすることができ、靴収納部の省スペース化を図ることができる。
【０００９】
請求項２、請求項３に記載した発明では、長靴の掛止状態において、踵部を下方にして胴部と甲部とで形成する略Ｖ字の長靴の姿勢を安定的に保持することができる。
【発明を実施するための最良の形態】
【００１０】
本発明の実施形態に係る収納庫１は、典型的には、調理施設や食品加工工場などで使用される多数の長靴を省スペースで収納する靴収納庫である。収納庫１は、より多くの長靴を収納できるものでありながら、長靴が取り出しやすく壁付けに設置が出来る片面開閉の収納庫である。
【００１１】
図１に示すように、長靴用の収納庫１は、背面部１０、左右の側面部１１，１２、上面部１３、下面部１４、から縦長直方体状の形状を備えており、これらの板体で囲まれた内部空間に靴収納部Ｓ１が形成され、靴収納部Ｓ１の上側には送気部Ｓ２が設けてある。靴収納部Ｓ１の前面には両開きの開閉扉１５が開閉自在に設けてある。靴収納部Ｓ１と送気部Ｓ２とは仕切り板１３Ａによって仕切られている。吸気口１６から吸気された靴収納部Ｓ１内の空気は、送気部Ｓ２に配置したオゾンヒータ１７によってオゾン化・加熱されて、吐出ダクト１８を介して靴収納部Ｓ１に供給される。また、収納庫1内の空間は加熱によって発生した湿気を排気口19を介して外部空間へ排気している。
【００１２】
靴収納部Ｓ１には、上下方向に亘って複数のハンガーユニット２が多段状に設けてある。ハンガーユニット２は、靴収納部Ｓ１の横幅に亘る寸法を備えており、横幅方向に複数の靴用ハンガー３を備えている。より具体的には、図２に示すように、ハンガーユニット２は、水平方向に延出する横材２０と、横材２０の長さ方向の両端部から、横材２０の長さ方向に対して垂直状に延出する左右の側材２１，２２と、横材２０の長さ方向に沿って所定間隔を存して設けられた複数の靴用ハンガー３と、を備えている。
【００１３】
収納庫１の左右の側板１１，１２の内面には、ハンガーユニット２の左右の側材２１，２２を支承する受け材が設けてあり、ハンガーユニット２は、収納庫１の靴収納部Ｓ１に対して着脱自在となっている。ハンガーユニット２が靴収納部Ｓ１に装着された状態では、ハンガーユニット２の横材２０が収納部Ｓ１の背面部１０の内面に当接ないし近接しており、ハンガーユニット２の側材２１，２２及び各靴用ハンガー３は、靴収納部の背面から前面に向かって延出する姿勢となっている。
【００１４】
ハンガーユニット２は、いわば、横一列に複数のハンガー３を配設した、靴収納部Ｓ１に対して着脱可能な棚状部材として形成されている。受け材の高さ位置は、上下方向に変更可能となっており、収納する靴の大きさ等に対応して適宜調整可能である。側板１１，１２の高さ方向に受け材の高さを調整可能に設ける手段（例えば、側板１１，１２の高さ方向に間隔を存して受け材の差込孔を多数形成する）は当業者に周知である。また、図３（Ｂ）に示すように、一部のハンガーユニット２を取り外して、代わりに棚板を受け材に支承させて、短靴４´を収納してもよい。
【００１５】
図５（Ａ）に示すように、靴用ハンガー３は、基端が横材２０に固定された水平部３０と、水平部３０の先端から下方に向かって傾斜状に延出する傾斜部３１と、傾斜部３１の先端側に形成された係止部３２と、からなる。図示の態様では、靴用ハンガー３は棒状部材（中空でも無垢でもよい）を曲げ加工して変形することで形成されており、水平部３０、傾斜部３１、係止部３２は、２本の対向する棒状部から構成されており、係止部３２の先端において棒状部は一体的に連結されている。
【００１６】
靴用ハンガー３を構成する部材は棒状部材を湾曲させたものに限定されるものではなく、例えば、１本の中空部材から靴用ハンガーを構成し、中空部材の基端側にインレット、中空部材の先端側にアウトレットを形成し、インレットを吐出ダクトに連通させることで、アウトレットから掛止させた長靴の内部に温風を送気するようにしてもよい。また、この場合、係止部は、傾斜部を形成する中空部材とは別部材から形成して、中空部材の先端部に取り付けても良い。
【００１７】
図６に示すように、靴用ハンガー３に掛止される長靴４は、上端に履き口４０Ａが形成された胴部４０と、胴部４０の下端の後側に形成された踵部４１と、胴部４０の下端の前側に突成された甲部４２と、を備え、胴部４０内部の下端前側と甲部４２内部の基端側が連通しており、内部に足を受け入れる空間が形成されている。
【００１８】
靴用ハンガー３の係止部３２は、長靴４の甲部４２内部の基端側の上面に係止する第１係止部３２Ａと、甲部４２内部の基端側の底面に係止する第２係止部３２Ｂと、を備えている。図示の例では、靴用ハンガー３の係止部３２は、傾斜部３１の先端から上側に傾斜状に延出する第１部３２０と、第１部３２０の先端から下方に向かって延出する第２部３２１と、を備えている。第１部３２０の先端側あるいは／および第１部３２０と第２部３２１とからなる角部が、第１係止部３２Ａを構成し、第２部３２１の先端が第２係止部３２Ｂを構成する。
【００１９】
長靴４は、踵部４１を下方にして胴部４０と甲部４２とが略Ｖ字を形成するような姿勢で、靴用ハンガー３の傾斜部３１が胴部４０内部に沿って延出し、靴用ハンガー３の係止部３２が甲部４２内部の基端側に係止した状態で靴用ハンガー３に掛止される。この状態において、例えば図３（Ａ）に示すように、略Ｖ字姿勢にある長靴４の胴部４０及び甲部４２の上側に形成される空間に、直上に位置する靴用ハンガー３に掛止される長靴４の踵部４１が位置するようになっている。このようにして、長靴４の踵部４２を下にＶ字になるような向きで、上下方向に重ねるように長靴４を配置することにより、胴部４０と甲部４２の上側に形成される空間を有効利用して、省スペース化を図っている。そして、このＶ字状の姿勢を保持するために収納庫背面から下斜め前方に突出したハンガー３の傾斜部３１の先端に滑り落ち防止の係止部３２を形成してなる。
【００２０】
図３（Ａ）、（Ｂ）の下から２つ目の靴用ハンガー３には、長靴４をハンガー３に掛止させる時の、長靴４の移動軌跡が示してあり、図４には、この移動軌跡を便宜的に個々に示してある。先ず、長靴４の胴部４０を略水平状（長靴４の底部が略垂直姿勢）とした姿勢で、長靴４の胴部４０の上端の履き口４０Ａを靴用ハンガー３の係止部３２に係止させ、靴用ハンガー３の傾斜部３１に案内させながら長靴４の胴部４０を傾斜部３１の奥（基端側）へ移動させて行く。長靴４が傾斜部３１の基端側へ移動するにつれて、長靴４の胴部４０が水平姿勢から傾斜部３１に沿った傾斜姿勢へ少しずつ回転して行き、それにつれて長靴４の踵部４１、甲部４２は下方に移動して行って、長靴４は、踵部４１を下方にして胴部４０と甲部４２とが略Ｖ字を形成するような姿勢となる。このような長靴４の移動軌跡から明らかなように、ある靴用ハンガー３に長靴４を掛止させる時に、直上のハンガー３に既に長靴４が掛止されている場合には、長靴４は直上の長靴４の踵部４１を避けるように移動しながら靴用ハンガー３に掛止される。また、直下のハンガー３に既に長靴４が掛止されている場合には、長靴４は直下の長靴４の甲部４２を避けるように移動しながら靴用ハンガー３に掛止される。同様に、靴用ハンガー３に掛止された長靴４を取り出す場合も、上下に位置する長靴４の踵部４１や甲部４２を避けるように移動させて取り出すことができる。
【００２１】
図５（Ｂ）は、靴用ハンガー３の各構成要素間の角度を示している。上述のように、靴用ハンガー３は、水平部３０の先端から下方に向かって傾斜状に延出する傾斜部３１と、傾斜部３１の先端側に形成された係止部３２と、からなり、係止部３２は、傾斜部３１の先端から上側に傾斜状に延出する第１部３２０と、第１部３２０の先端から下方に向かって延出する第２部３２１と、を備えている。傾斜部３１の水平面に対する傾斜角度をα、傾斜部３１と第１部３２０とがなす角度をβ、第１部３２０と第２部３２１とがなす角度をγ、とする。１つの好ましい態様例では、αは２５度から３５度であり、βは１３５度であり、γは９０度である。各角度α、β、γは上記の数値に限定されるものではなく、各靴用ハンガー３の上下間隔や各構成要素の長さ寸法等によっても異なり得ることは当業者に理解される。
【００２２】
図７には、靴用ハンガー３の係止部３２の幾つかの実施形態を示す。図７の上段の形態では、靴用ハンガー３の係止部３２は、傾斜部３１の先端から略直角に延出する係止片３２０Ａから構成されている。図７の中段の形態では、靴用ハンガー３の係止部３２は、傾斜部３１の先端から９０度よりも大きい角度で延出する係止片３２０Ｂから構成されている。係止片３２０Ａ、３２０Ｂは、靴用ハンガー３に長靴４を掛止した時の滑り落ち防止の機能を有しており、本発明の靴用ハンガー３の係止部３２には、係止片３２０Ａ、係止片３２０Ｂのような形態も含まれる。しかしながら、これらの場合には、長靴自体の自由度から、掛止状態における長靴の固定性が低く、長靴の固定性を向上させる場合には、図７下段に示すような、長靴４の甲部４２内部の基端側の上面に係止する第１係止部３２Ａと、甲部４２内部の基端側の底面に係止する第２係止部３２Ｂと、を備えた係止部３２が有利である。すなわち、図７下段に示す形態（上述の形態）では、第１係止部３２０が、係止片３２０Ａ、３２０Ｂと同様に長靴４の滑り止めの機能を備え、第２係止部３２０が長靴４の動きを規制するストッパとしての保持機能を備えている。滑り止機能と保持機能が良好に作用するには、長靴４を靴用ハンガー３に掛止させた状態で、第１係止部３２Ａと第２係止部３２Ｂとがそれぞれ同時に甲部４２内部に当接していることが望ましい。
【００２３】
図８は、靴用ハンガー３の傾斜部３１の傾斜角度αを異ならしめた例を示す図であり、（Ａ）はα＝２０度、（Ｂ）はα＝２５度、（Ｃ）はα＝３０度、（Ｄ）はα＝３５度、（Ｅ）はα＝４０度、の場合をそれぞれ示している。図面から明らかなように、傾斜部３１の角度αとしては、２０度から４０度の範囲を取り得る。長靴の出し入れを考えた場合には、好ましくは、傾斜部３１の角度αは２５度から３５度であり、１つの態様では、３０度が望ましい。
【００２４】
以上のとおり、長靴４の踵部４１を下にしてＶ字を重ねるような配置とし、その状態を保持するために収納庫背面から下斜め前方に突出した傾斜部３１の先端に滑り落ち防止の係止部３２を備えたハンガー３を有する長靴用の収納庫１について説明した。収納庫１において、長靴４の踵部４１を下にＶ字になるような向きで、上下方向に重ねるように複数の長靴４を配置することにより省スペース化を図るものである。調理施設や食品加工工場など多くの長靴を収納する場合に靴収納部の省スペース化することにより施設内スペースの有効利用を図ることができ、また、収納庫に乾燥や殺菌機能を追加した場合にも、一度に多数の長靴を乾燥処理あるいは殺菌処理することができて効率のよい乾燥や殺菌効果が得られる。
【００２５】
本発明に係る収納庫は、主として長靴を収納するものであるが、長靴に加えて長靴以外のもの（例えば、短靴）を収納してもよい。また、本発明において、長靴は典型的にはゴム長靴であるが、本発明に係る長靴には、上端に履き口が形成された胴部と、胴部の下端の後側に形成された踵部と、胴部の下端の前側に突成された甲部と、を備えた靴全般が含まれ、例えば、革製ブーツやスキー靴も含まれる。
【産業上の利用可能性】
【００２６】
本発明は、多数の長靴を効率良く収納できる長靴用収納庫として利用することができる。
【図面の簡単な説明】
【００２７】
【図１】長靴の収納庫の上面図（Ａ）、正面図（Ｂ）、側面図（Ｃ）である。
【図２】ハンガーユニットの下面図（Ａ）、正面図（Ｂ）、斜視図（Ｃ）、側面図（Ｄ）である。
【図３】（Ａ）は６足の長靴が収納された収納庫の側面図、（Ｂ）は４足の長靴と３足の短靴が収納された収納庫の側面図である。
【図４】ハンガーに長靴を掛止する時の長靴の移動軌跡を示す図である。
【図５】（Ａ）は図２（Ｄ）の拡大図、（Ｂ）は図５（Ａ）と類似の図であって、各構成要素間の角度を示している。
【図６】靴用ハンガーに長靴が掛止された状態の拡大図である。
【図７】靴用ハンガーの係止部の幾つかの実施形態を示す図である。
【図８】靴用ハンガーの傾斜部の傾斜角度を異ならしめた例を示す図である。
【図９】（Ａ）、（Ｂ）は共に、従来の収納形態を示す図である。
【図１０】（Ａ）は従来の収納形態を示す図であり、（Ｂ）は図１０（Ａ）の変形例を示す図である。
【符号の説明】
【００２８】
１  靴収納庫
２  ハンガーユニット
３  靴用ハンガー
３１  傾斜部
３２  係止部
３２Ａ  第１係止部
３２Ｂ  第２係止部
３２０  第１部
３２１  第２部
４  長靴
４０  胴部
４１  踵部
４２  甲部
【図１】
2010115300.tif 000003
【図２】
2010115300.tif 000004
【図３】
2010115300.tif 000005
【図４】
2010115300.tif 000006
【図５】
2010115300.tif 000007
【図６】
2010115300.tif 000008
【図７】
2010115300.tif 000009
【図８】
2010115300.tif 000010
【図９】
2010115300.tif 000011
【図１０】
2010115300.tif 000012